(57)【要約】【課題】歯科用マイクロモータハンドピースにおいて、アタッチメントにより増速又は減速された場合、モータの回転数を表示すものはあったが、締着された工具の歯牙切削用器具の実回転数を表示するものはなく、ユーザが倍率により換算しながら作業していたが、キー操作で変速比を入力し、使用中の歯牙切削用器具の実回転数を表示する手段を提供する。【解決手段】歯科用チェアユニットの操作用パネル１において、マイクロモータハンドピースに締着される歯牙切削用器具の回転倍率に係る操作値と回転数が表示される表示板２と、モータの回転速度操作スイッチ６と、表示されるハンドピースの操作項目の編集キーと、編集モードへの切り替えを決定をするエンターキー５と、操作及び表示を制御するコンピュータとを備えてなる。【選択図】図１
0003167524.tif 000002
【実用新案登録請求の範囲】
【請求項１】
歯科用チェアユニットにおいて、
マイクロモータハンドピース用アタッチメントの変速比と、同アタッチメントに締着される歯牙切削用器具の回転数が表示される表示板と、
マイクロモータハンドピース用モータの回転数操作スイッチと、
前記表示板に表示される前記変速比を変更するための編集キーと、
前記変速比を決定するためのエンターキーと、
前記表示板と、前記回転数操作スイッチ、編集キー、エンターキー及びマイクロモーターハンドピースを制御するコンピュータとを備えてなることを特徴とする歯牙切削用器具の回転数表示機能を有する歯科用チェアユニット。
【請求項２】
歯科用チェアユニットにおいて、
マイクロモータハンドピース用アタッチメントの変速比と、同アタッチメントに締着される歯牙切削用器具の回転数と、
前記マイクロモータハンドピース用モータの制御可能な回転数範囲を含む複数の操作項目が表示される表示板と、
前記回転数範囲の切り替えを行うレンジ切り替えスイッチと、
同回転数範囲を表示する色別点灯表示器と、
前記マイクロモータハンドピースのモータの回転速度操作を行うフットスイッチと、
前記表示板に表示される前記変速比を変更するための編集キーと、
前記操作項目を切り替える画面送りキーと、
前記操作項目の変更不可能状態である表示モードから変更可能状態である編集モードへの切り替え及び、前記変速比の決定と同時に前記編集モードから前記表示モードへの切り替えを行うエンターキーと、
上記の操作及び表示を制御するコンピュータとを備えてなることを特徴とする歯牙切削用器具の回転数表示機能を有する歯科用チェアユニット。
【考案の詳細な説明】
【技術分野】
【０００１】
本考案は歯科用チェアユニットのマイクロモータハンドピースの歯牙切削用具の回転数に係り、特に等速・増速・減速のアタッチメントを使用した時、歯牙切削用器具の実回転数が表示できる歯科用チェアユニットに関する。
【背景技術】
【０００２】
従来、歯科用マイクロモータハンドピースにおいて、モータの回転数を表示する歯科用チェアユニットはあったが、増速又は減速されたアッタチメントを使用した場合、
同アタッチメントに締着された歯牙切削用器具の実際の回転数を表示する歯科用チェアユニットはなかった。
【先行技術文献】
【特許文献】
【０００３】
【非特許文献１】歯科用チェアユニット（シグノトレファート）カタログ、２００４年１０月、（株）モリタ、（株）モリタ製作所、（株）モリタ東京製作所発行
【考案の開示】
【考案が解決しようとする課題】
【０００４】
しかし、前記マイクロモータハンドピースのモータの回転数の表示では、減速又は増速したアタッチメントに締着された実際の歯牙切削用器具の回転数は、ユーザ自身が換算しながら作業する必要があり、実用に欠ける面があった。
本考案では、使用に際しマイクロモータハンドピースのアタッチメントの増速比又は減速比を操作キーで入力することにより、使用中の歯牙切削用器具の実回転数を表示する手段を提供する。
【課題を解決するための手段】
【０００５】
上記に鑑み本考案者等は鋭意実験研究の結果下記の手段によりこの問題を解決した。
（１）歯科用チェアユニットにおいて、マイクロモータハンドピース用アタッチメントの変速比と、同アタッチメントに締着される歯牙切削用器具の回転数が表示される表示板と、マイクロモータハンドピース用モータの回転数操作スイッチと、前記表示板に表示される前記変速比を変更するための編集キーと、前記変速比を決定するためのエンターキーと、前記表示板と、前記回転数操作スイッチ、編集キー、エンターキー及びマイクロモーターハンドピースを制御するコンピュータとを備えてなることを特徴とする歯牙切削用器具の回転数表示機能を有する歯科用チェアユニット。
（２）歯科用チェアユニットにおいて、マイクロモータハンドピース用アタッチメントの変速比と、同アタッチメントに締着される歯牙切削用器具の回転数と、前記マイクロモータハンドピース用モータの制御可能な回転数範囲を含む複数の操作項目が表示される表示板と、前記回転数範囲の切り替えを行うレンジ切り替えスイッチと、前記回転数範囲を表示する色別点灯表示器と、前記マイクロモータハンドピースのモータの回転速度操作を行うフットスイッチと、前記表示板に表示される前記変速比を変更するための編集キーと、前記操作項目を切り替える画面送りキーと、前記操作項目の変更不可能状態である表示モードから変更可能状態である編集モードへの切り替え及び、前記変速比の決定と同時に前記編集モードから前記表示モードへの切り替えを行うエンターキーと、上記の操作及び表示を制御するコンピュータとを備えてなることを特徴とする歯牙切削用器具の回転数表示機能を有する歯科用チェアユニット。
【考案の効果】
【０００６】
本考案によれば次のような優れた効果が発揮される。
１、本考案の請求項１及び２の考案によれば、
歯科用チェアユニットにおいて、
マイクロモータハンドピース用アタッチメントの変速比と、同アタッチメントに締着される歯牙切削用器具の回転数と、
前記マイクロモータハンドピース用モータの制御可能な回転数範囲を含む複数の操作項目が表示される表示板と、
回転数範囲の切り替えを行うレンジ切り替えスイッチと、
回転数範囲を表示する色別点灯表示器と、
マイクロモータハンドピースのモータの回転速度操作を行うフットスイッチと、
表示板に表示される変速比を変更するための編集キーと、
操作項目を切り替える画面送りキーと、
操作項目の変更不可能状態である表示モードから変更可能状態である編集モードへの切り替え及び、前記変速比の決定と同時に前記編集モードから前記表示モードへの切り替えを行うエンターキーと、
上記の操作及び表示を制御するコンピュータとを備えてなるため、
一般の歯科用チェアユニットの装置が使用でき、従来のように、ユーザー自身がモータの回転数に変速比を乗、除算して、アタッチメントに締着された実際の歯牙切削用器具の回転数を知る必要がなく、使用に際し、アタッチメントの増速比又は減速比を、操作パネルの所定キーで入力することにより、使用中の歯牙切削用器具の実回転数を表示することができる。
【０００７】
２、前項請求項１又は２に記載の歯科用チェアユニットにおいて、
前記マイクロモータハンドピースを格納台に格納し、
〈１〉前記操作項目のうち、
画面送りキーにより前記マイクロモータハンドピースの減速用アタッチメントの減速比を表示させ、エンターキーにより前記編集モードに切り替え、
編集キーにより前記減速比を変更し、
前記エンターキーにより減速比を決定すると同時に、前記表示モードに切り替え、又は
〈２〉前記画面送りキーにより前記マイクロモータハンドピースの増速用アタッチメントの増速比を表示させ、エンターキーにより編集モードに切り替え、
編集キーにより前記増速比を変更し、
前記エンターキーにより増速比を決定すると同時に、前記表示モードに切り替え、
〈３〉マイクロモータハンドピース用の減速用アタッチメントの減速比と、
増速用アタッチメントの増速比を、コンピュータに記憶させ、そして、
〈４〉マイクロモータハンドピースのモータ部を前記格納台より取り出し、
〈５〉エンターキーにより前記編集モードに切り替え、前記編集キーにより前記変速比を変更し、
マイクロモータハンドピースのモータ部に嵌着されているアタッチメントに対応してコンピュータに記憶させているアタッチメントの増速比又は減速比を呼び出し、
前記エンターキーにより前記変速比を決定すると同時に前記表示モードに切り替え、
〈６〉コンピュータによって、マイクロモータハンドピース用モータの回転数と、アタッチメントの変速比から歯牙切削用器具の回転数を計算し、
〈７〉マイクロモータハンドピースのモータの回転中に、歯牙切削用器具の回転数を前記表示板に表示させる、ため
マイクロモータハンドピース格納時及び、取り出した時、簡単な操作でアタッチメントの変速比が設定でき、表示板には歯牙切削用器具の実回転数を表示することができる。
【０００８】
３、前項に記載の歯科用チェアユニットにおいて、
〈１〉マイクロモータハンドピースを格納台から取り出して、
マイクロモータハンドピースのモータ部に嵌着されている第１のアタッチメントを、変速比が前記コンピュータに記憶されていない第２のアタッチメントに交換し、
〈２〉画面送りキーにより、前記操作項目のうち、
コンピュータに記憶されている第１のアタッチメントの減速比又は増速比を表示させ、エンターキーにより編集モードに切り替え、編集キーにより第２のアタッチメントの減速比又は増速比に変更し、
前記エンターキーにより第２のアタッチメントの減速比又は増速比を決定すると同時に表示モードに切り替え、
〈３〉第２のアタッチメントの減速比又は増速比を、前記マイクロモータハンドピースを格納するまでの間、前記コンピュータに一時的に記憶させ、
〈４〉コンピュータにて、前記マイクロモータハンドピースのモータの回転数と、前記第２のアタッチメントの減速比又は増速比から前記歯牙切削用器具の回転数を計算し、前記マイクロモータハンドピースの回転中に前記歯牙切削用器具の回転数を表示器に表示させるため、
複数本のマイクロハンドピース用アタッチメントを使用する場合、変速比の設定が容易であり、施療時の任意の変更にも容易に対応することができる。さらに任意変更時の記憶は格納時には変更前にもどるため、使い易い。
【０００９】
４、ユーザがマイクロモータハンドピースを格納台から取り出す操作に連動して、
表示板に、当該マイクロモータハンドピースの名称が一定時間表示されるため、
複数のマイクロモータハンドピース中、取り出したものが該当していることを、再確認することができる。
５、マイクロモータハンドピース用アタッチメントの変速比の変更操作並びに変更後の取り出し時に連動して、一定時間告知音を発するため、表示板の視覚による確認に加えて、聴覚によっても確認でき、誤操作を防止することができる。
６、マイクロモータハンドピース用アタッチメントの変速比の変更後は、前記マイクロモータハンドピースの使用時間中継続して告知音を発するため、使用に際して聴覚により誤操作を防止することができる。
【図面の簡単な説明】
【００１０】
【図１】本考案の歯科用チェアユニットの操作用パネルの外観図
【図２】マイクロモータハンドピース「格納時」の操作及び表示の説明図
【図３】設定を変更する場合のマイクロモータハンドピース「取り出し時」の操作及び表示の説明図
【図４】マイクロモータハンドピース使用中の表示図
【図５】各告知音発生に係る作用を示すブロック図
【考案を実施するための最良の形態】
【００１１】
考案を実施するための最良の形態を図面に基づいて以下に説明する。
図１は、本考案の歯科用チェアユニットの操作用パネルの外観図である。
図において、１は操作用パネル、２は表示板、３は画面送りキー、４は編集キー、５はエンターキー、６はハンドピース設定操作スイッチ、７はレンジ切り替えスイッチ、８は左端色別表示器、９は中央色別表示器、１０は右端色別表示器、１１は表示文字・記号を示す。
上記の操作用パネルは一般の歯科用チェアユニットに使用されているものに準じている（非特許文献参照）。
また、ここでいうキーとは、タッチパネルのタッチスイッチ、タッチボタン、キースイッチ等タッチ操作用のスイッチ全般を示し、
さらに、マイクロモータハンドピースとは、モータ部とその前端に嵌着されたアタッチメント部との総称で、モータ部はモータ、アタッチメント部はアタッチメントと略称する。
【００１２】
歯科用チェアユニットの操作用パネル１において、複数の操作項目のうち、
マイクロモータハンドピースのアタッチメント（後記）に締着される歯牙切削用器具（バー、ポイント、ディスク等）の回転倍率に係る、切り替えスイッチ、前記キー、表示灯、表示板を示したが、
複数の操作値と回転数が表示される表示板２には、例えば、使用時の回転数レンジと、当該アタッチメントの変速比と、歯牙切削用器具の実回転数の、表示文字・記号１１等が、表示される。
また、マイクロモータハンドピースのモータの回転数を操作する回転数操作スイッチ、例えば回転数の切り替え設定を行う回転数レンジ切り替えスイッチ７が設けられている。  さらに、同切り替え結果を表示する色別点灯表示器（左端色別表示器８、中央色別表示器９、右端色別表示器１０）が備えられ、レンジ切り替えスイッチ７の切り替えにより，ＵＬ（超低速：左端色別表示器８、オレンジに点灯）、Ｌ（低速：左端色別表示器８、緑に点灯）、Ｍ（中速：左端色別表示器８緑に点灯及び中央色別表示器９緑に点灯）、Ｈ（高速：左端色別表示器８と中央色別表示器９及び右端色別表示器１０共に緑に点灯）の４段階にモーターの回転数を切り替えることができる。
前記レンジの事例として、ＵＬ：１００〜３００、Ｌ：１．０００〜５．０００、Ｍ：２．０００〜２０．０００、Ｈ：２．０００〜４０．０００、（単位）ｍｉｎ-1 （左側最低回転数、右側最高回転数）が設定される。
そして、事例として、操作用の、左右の画面送りキー３と、上下の編集キー４と、その下方にエンターキー５が配設されている。
【００１３】
なお、前記、操作及び表示を制御するコンピュータは、操作パネルの後方に配設されており、回転速度操作を行うフットスイッチは、チェアユニット近傍の床上にある（図示せず）。
また、ここでいうアッタチメントとは、歯科用マイクロモータハンドピースにおける慣用語であり、小型モータ部の前端に嵌着され、かつ交換可能な変換部分で、前記モータの回転を伝達する軸と歯車とを内蔵し、その先端部には歯牙切削用器具を諦着するチャック部を有している。
また、前記歯車は、その変速比に対応してギア比を変えた減速用、等速用、増速用の各種いずれかが配設されている。
ただし、その嵌合部は規格により共通である。そして、前記の各種変速比をアタッチメントレシオと称する。以下事例では、同用語により記述する。
【００１４】
図２は、マイクロモータハンドピース「格納時」の操作及び表示の説明図である。
図中の文字下のアンダーラインは編集モードを示す。
操作項目の変更不可状態である表示モードから変更可能状態である前記編集モードへ切り替えるには、前記エンターキー５が使用される。
また、前記編集モードでは表示が明滅するようにしてもよい。
そして、編集キー４により操作項目を変更し、再度エンターキー５を押すと前記表示モードに切り替わり、前記アンダーラインは消えて文字のみとなる（図示せず）。
なお、前記表示が明滅している場合は明滅が停止する。
また、上記編集モードはアンダーラインの代わりにバックを黒又は白とし、文字を白又は黒く反転して表示してもよい。
【００１５】
図において、（Ａ）はメインメニュー、（Ｂ）はユーザー設定メニューを示す。
操作手順として、まず、予め設定されるマイクロモータハンドピース格納時の操作表示を行う。図示したように
歯科用チェアユニットの主要操作項目を設定するための（Ａ）「メインメニュー」の中の〈１〉「ユーザーセッテイＳＥＴ」を画面送りキー３により選択表示して、エンターキー５により、〈Ｂ〉「ユーザー設定メニュー」を表示器２に表示させる。
（Ｂ）「ユーザー設定メニュー」において、
〈１〉前記画面送りキー３により、［ＬＳ１」と呼称する一本目のマイクロモータハンドピースのモータ部ＬＳ１と、アタッチメントのレシオを表す「ＬＳ１ 減速比設定」項目を表示し、エンターキー５により編集モードに切り替える。
そして、編集キー４により前記減速比「アタッチメントレシオ１」の数字を例えば、「ＬＳ１ アタッチメントレシオ１ ゲンソク ２．７：１」のように変更する。
前記のように、上記のアンダーラインは編集モードを示している。
次に、前記エンターキー５により前記アタッチメントレシオ１を決定すると同時に前記表示モードに切り替える。
【００１６】
あるいは、〈２〉前記画面送りキー３により、前記一本目のマイクロモータハンドピースのモータ部ＬＳ１と変速比「ＬＳ１ 増速比設定」項目を表示し、
エンターキー５により編集モードに切り替える。
そして、編集キー４により前記増速比「アタッチメントレシオ２」の数字を例えば、「ＬＳ１ アタッチメントレシオ２ ゾウソク １：５」のように変更する。
前記のように、上記のアンダーラインは編集モードを示している。
次に、前記エンターキー５により前記アタッチメントレシオ２を決定すると同時に前記表示モードに切り替える。
そして、前記マイクロモータハンドピースの減速用アタッチメントの減速比並びに、増速用アタッチメントの増速比を、前記コンピュータに記憶させる。
同様にして〈３〉二本目のマイクロモータハンドピースのモータ部ＬＳ２の変速比「ＬＳ２ 減速比設定」及び〈４〉「ＬＳ２ 増速比設定」の変更を行い、各記憶させる。
【００１７】
そして、前記の状態のマイクロモータハンドピースを前記格納台より取り出しての操作は、前記エンターキー５により編集モードに切り替え、編集キー４により変速比を変更し、マイクロモータハンドピースのモータ部に嵌着されているアタッチメントに対応して前記コンピュータに記憶されている前記アタッチメントの増速比又は減速比を呼び出し、エンターキー５により変速比を決定すると同時に前記表示モードに切り替え、
前記コンピュータによって、マイクロモータハンドピースのモータの回転数と、アタッチメントの変速比から前記歯牙切削用器具の回転数を計算し、
マイクロモータハンドピースの回転中に歯牙切削用器具の回転数を表示板２に表示させる。
【００１８】
図３は、設定を変更する場合のマイクロモータハンドピース「取り出し時」の操作及び表示の説明図である。
操作手順として、図示するように、
〈１〉取り出し後、１秒間の「ＬＳ１」表示、
使用する一本目の前記マイクロモータハンドピースのモータの名称［ＬＳ１」が、格納台から「取り出した時」取り出し後１秒間表示される。
以降図は編集モードの状態を示す。
〈２〉減速、等速、増速からの選択、
次に、表示板２には、まず、アタッチメントレシオは、前回選択した減速比、等速比、増速比のいずれか１つが表示される、本図では、減速比２．７：１を表示している。
そして、前記レンジ切り替えスイッチ７による、前記ＵＬ、Ｌ、Ｍ、Ｈのいずれか１つのレンジと、当該レンジにおける前記歯牙切削用器具の回転数の〈３〉最高回転数が表示される。
【００１９】
上記において、ユーザーが減速又は増速を選択し、さらにアタッチメントレシオを、
コンピュータに記憶されていない変速比に変更したいときは、ユーザが下記のように操作し変更することができる。
〈４〉減速比設定、
前記エンターキー５により編集モードに切り替えて、前記マイクロモータハンドピースのモータ部に嵌着されているアタッチメントに対応して、編集キー４により「レンジ： ＵＬ ゲンソク ４：１」のように変速比を変更し、
前記エンターキー５により前記変速比を決定すると同時に前記表示モードに切り替える。
〈５〉増速比設定、
前記エンターキー５により編集モードに切り替えて、前記マイクロモータハンドピースのモータ部に嵌着されているアタッチメントに対応して、編集キー４により「レンジ： ＵＬ ゾウソク １：３」のように変速比を変更し、
前記エンターキー５により前記変速比を決定すると同時に前記表示モードに切り替える。   
【００２０】
また、図３において、２本目のマイクロモータハンドピースのモータＬＳ２取り出し時も、
前記ＬＳ１と同様な操作で設定できるが、例えば上記に対応する〈４〉はアタッチメントレシオ１をゲンソク ２：１に〈５〉アタッチメントレシオ２をゾウソク １：４のように変速比を変更できる。
【００２１】
即ち、前記マイクロモータハンドピースを格納台から取り出して、モータに嵌着されている第１のアタッチメントを、変速比が前記コンピュータに記憶されていない第２のアタッチメントに交換し、
画面送りキー３により、前記操作項目のうち、コンピュータに記憶されている第１のアタッチメントの減速比又は増速比を表示させ、エンターキー５により編集モードに切り替え、前記編集キー４により第２のアタッチメントの減速比又は増速比に変更し、
前記エンターキー５により前記第２のアタッチメントの減速比又は増速比を決定すると同時に前記表示モードに切り替え、
前記第２のアタッチメントの減速比又は増速比を、前記マイクロモータハンドピースを格納するまでの間、前記コンピュータに一時的に記憶させ、
前記コンピュータにて、前記マイクロモータハンドピースのモータの回転数と、前記第２のアタッチメントの減速比又は増速比から前記歯牙切削用器具の回転数を計算し、前記マイクロモータハンドピースの回転中に前記歯牙切削用器具の回転数を表示器に表示させる。
【００２２】
図４はマイクロモータハンドピース使用中の表示図である。
前記のようにして決定された変速比によるマイクロハンドピース使用中の表示は、
前記低速〜高速に到る段階の各レンジによって決められているモータの上限ないし下限回転数の範囲で、変速比に係る歯牙切削用器具の実回転数がｍｉｎ-1 で表示される。
図において、（Ａ）は前記ＬＳ１（一本目のマイクロモータハンドピースのモータ）使用中の例で、レンジは前記ＵＬで、減速比２．７：１のアタッチメントを嵌着しており、回転数は前記歯牙切削用器具の実回転数を示す。
（Ｂ）は前記ＬＳ２（二本目のマイクロモータハンドピースのモータ）使用中の例で、レンジは前記Ｍで、等速比の１：１のアタッチメントを嵌着しており、回転数は前記歯牙切削用器具の実回転数を示す。
また、上記実回転数は、前記ＵＬ〜Ｈレンジの範囲内で、連動する前記フットスイッチの踏み込み操作によって増減するモータの回転数と前記変速比とを、前記コンピュータにより演算して表示される。
【００２３】
前述したように、図３〈２〉「等速」、「増速」、「減速」のいずれか１つを選択した時並びに変更後の取り出し時、一定時間それぞれ異なる告知音を発する。
又は、変速比を変更後、前記歯牙切削用器具を使用した場合、使用時間中継続してそれぞれ異なる告知音を発する。
図５は、上記各告知音発生に係る作用を示すブロック図である。
ユーザがアタッチメントレシオを変える場合、当該アタッチメントに差し替え、前記図３〈２〉減速、等速、増速からの選択において、
編集モードから、例えば編集キー４によりアタッチメントレシオを変え減速を選択し、エンターキー５により決定にすると、同信号はコンピュータにより制御駆動され、減速告知音を発生させ報知器により告知する。
また、同様にユーザが増速比設定に変える場合、編集モードから増速設定を選択し編集キー４によりアタッチメントレシオを変え、エンターキー５により決定にすると、同信号はコンピュータにより制御駆動され、増速告知音を発生させ報知器により告知する。
さらに、前記減速に設定後格納台よりの取り出し時又は、増速に設定後取り出した時も、同様に告知音を発生させ報知器により告知する。
【００２４】
また、前記減速又は増速を選択して使用する場合、
前記フットスイッチの踏み込みにより、マイクロモータハンドピースのモータに連動し、アタッチメントに締着された歯牙切削用器具は回転するが、この際使用中は継続して、告知音を発生する。フローは、前記フットスイッチにより減速又は増速にて回転中、その信号はコンピュータにより制御駆動され、減速又は増速回転中の各告知音を発生させ報知器により告知する。
【符号の説明】
【００２５】
１：操作用パネル
２：表示板
３：画面送りキー
４：編集キー
５：エンターキー
６：ハンドピース設定操作スイッチ
７：レンジ切り替えスイッチ
８：左端色別表示器
９：中央色別表示器
１０：右端色別表示器
１１：表示文字・記号
【図１】
0003167524.tif 000003
【図２】
0003167524.tif 000004
【図３】
0003167524.tif 000005
【図４】
0003167524.tif 000006
【図５】
0003167524.tif 000007